(57)【要約】      （修正有）【課題】顧客の来店確率を高めて店での商品の販売促進が可能となる集客販売促進システムを提供する。【解決手段】商品情報と、販売店情報と、イベント案内チラシと、来店促進グッズと、から構成され、来店促進グッズは、イベント案内チラシ２とともに来店を希望する顧客に送付・配達され、店頭配布される。来店促進グッズは、模擬玉ねぎ、模擬じゃがいも、模擬人参等であり、分割可能となっており、（分割するための模擬包丁も、来店促進グッズとして配布されて良い）、送付を受けた顧客は、店やイベント会場に来た際に、模擬玉ねぎ（と、模擬包丁）を持参し、店が用意したまな板の上で切って分割し、分割面に設けられた情報に従い、予め店が用意した来店記念品（本物のたまご８個など）を受け取る。【選択図】図１
0003224193.tif 000002
【実用新案登録請求の範囲】
【請求項１】
販売促進の対象となる商品の情報と、販売店の情報と、客が持ち帰りできる来店記念品の案内とが印刷されたイベント案内チラシと、
前記イベント案内チラシに添付される来店促進グッズと、
から構成され、
前記来店促進グッズは、たまごや野菜、果物等食品を模した外形形状を有するとともに複数個に分割可能とする分割面を有し、前記分割面に客が持ち帰りできる来店記念品の種類または個数を示す情報を付した構成であることを特徴とする集客販売促進システム。
【請求項２】
たまごや野菜、果物等食品を模した外形形状を有する来店促進グッズを分割するための模擬包丁をさらに備えた、請求項１に記載の集客販売促進システム。
【請求項３】
前記来店促進グッズは、前記分割面に相互に面的に着脱できる面ファスナーを備えた構成である請求項１に記載の集客販売促進システム。
【考案の詳細な説明】
【技術分野】
【０００１】  本考案は、ポスティングやダイレクトメール、直接配送あるいは店頭手渡しするなどの販売促進案内手段を用いてイベントの案内を行い、顧客を販売店等に誘導する集客販売促進システムに関する。
【背景技術】
【０００２】  ポスティングやダイレクトメールなど、あるいは宅配便などを用いて商品の販売店への集客販売促進を案内、促進する集客販売促進システムは従来から存する（たとえば特許文献１）。このような集客販売促進システムにおいては、来店率を高めるために、詰め放題用の箱や袋を送付し、店への来客時に顧客に販売促進品たとえば栗や菓子等を当該箱や袋に詰め放題に詰めて持帰る集客システムを構成している。
【先行技術文献】
【０００３】
【特許文献１】特許第４６２６８３６号公報
【考案の概要】
【考案が解決しようとする課題】
【０００４】  従来の集客販売促進システムにおいては、店への来客確率が高まり、特に顧客の店における滞在時間が長くなり、店での商品の販売が促進されるという優れた効果があるものの、来店時にもらえる記念品への期待感や、サプライズという意味で集客効果が充分あるとは言えないという課題があった。【０００５】  本考案は、このような従来の集客販売促進システムにおける課題を解決するもので、たまごや野菜を模した来店促進グッズを配布し、顧客が店に持参した来店促進グッズを加工することで得られる情報や表示に従って、来店記念品を持ち帰ることができるように構成し、顧客に興味を与えて集客率を高めることができる集客販売促進システムを提供する。
【課題を解決するための手段】
【０００６】  上記課題を解決するため、本考案の集客販売促進システムの構成は、販売促進の対象となる商品の情報と、販売店の情報と、客が持ち帰りできる来店記念品の案内とが印刷されたイベント案内チラシと、
前記イベント案内チラシに添付される来店促進グッズと、
から構成され、
前記来店促進グッズは、たまごや野菜、果物等食品を模した外形形状を有するとともに複数個に分割可能とする分割面を有し、前記分割面に客が持ち帰りできる来店記念品の種類または個数を示す情報を表示あるいは貼り付けた構成であることを特徴とする集客販売促進システム。【０００７】  本考案の来店促進グッズを用いた集客システムにおいては、たまごや野菜、果物等食品を模した外形形状を有する来店促進グッズを分割するための模擬包丁をさらに備えた構成としても良い。また、来店促進グッズは、前記分割面に相互に面的に着脱できる面ファスナーを備えた構成であっても良い。また、さらに来店促進グッズの前記分割面を外側から封止する封止テープを外側に備える構成としても良い。
【考案の効果】
【０００８】  本考案によれば、来店促進グッズを、店が来客を見込む顧客宛にポスティングやダイレクトメール・宅配便など、あるいは手渡しするなどして配布し、顧客が店へ来客した際、持参した来店促進グッズを、模擬包丁で切り、あるいは展開・加工することで、分割面に出る情報・表示（例えば持ち帰ることができる野菜・たまごの種類や個数を表示する。）により、所定の来店記念品を客が持ち帰ることができるようにしているので、単に来店記念品を持ち帰る等の場合に比べて加工や分割の面白さで興味が増し来店率が向上し、滞在時間を長く保つことが出来る。
【図面の簡単な説明】
【０００９】
【図１】本考案の実施の形態におけるイベント案内チラシの概要を示す図である。
【図２】同実施の形態における模擬包丁の正面図である。
【図３】本考案の実施の形態における来店促進グッズの斜視図である。
【図４】（ａ）同実施の形態における来店促進グッズの分割前の説明図、（ｂ）同実施の形態における模擬玉ねぎの分割後の斜視図である。
【図５】本考案の別実施の形態における来店促進グッズとしての模擬たまごの分割前の斜視図、（ｂ）同実施の形態における模擬たまごの分割後の斜視図である。
【考案を実施するための形態】
【実施の形態】
【００１０】  本考案の実施の形態における集客販売促進システムについて図１〜４を用いて以下に説明する。図１は、本考案の実施の形態におけるイベント案内チラシの概要を示す図、図２は、同実施の形態における模擬包丁を示す。図３は同実施の形態における来店促進グッズとしての食品サンプルである模擬玉ねぎ、模擬じゃがいも、模擬人参を示す。図４（ａ）は来店促進グッズの分割前の斜視図、（ｂ）は、同実施の形態における同模擬玉ねぎの分割後の斜視図である。本実施の形態における来店促進グッズ１は、模擬玉ねぎ１ｔ、模擬じゃがいも１ｊ、模擬人参１ｎ等であるが、食品を模した形をなし、ポスティングやダイレクトメール、あるいは店頭配布などで、集客販売促進システムに使用できるように、ボール紙製・布製・プラスチック製としているが、あるいは他にアルミ製等の金属で成形されたものであっても良い。来店促進グッズ１は、図１に示すイベント案内チラシ２とともに来店を希望する顧客に送付・配達され、あるいは、イベント案内チラシ２とともに店頭配布される。イベント案内チラシ２には、販売促進の対象である商品（住宅や携帯電話、洋服服等）の情報、販売店やイベント会場の地図や名前、開催期間・時間等の情報、客が来店促進グッズを使ってイベントに参加する方法、持ち帰りできる来店記念品の案内などが印刷されている。
【００１１】  来店促進グッズ１は、模擬玉ねぎ１ｔ、模擬じゃがいも１ｊ、模擬人参１ｎ等であるが、分割可能となっており、これを分割するための模擬包丁３も、来店促進グッズ１として、配布されても良い。この模擬包丁３は、イベント案内チラシ２にテープで貼り付けても良いし、模擬包丁３をイベント案内チラシ２とともに封筒（図示せず）に同封しても良い。また、イベント案内チラシ２の中に埋め込まれて、後で切り抜いて来店促進グッズ１として取り出せるようにしても良い。送付を受けた顧客は、店やイベント会場に来客した際に、来店促進グッズ１としての模擬玉ねぎと、模擬包丁３とを持参し、この来店促進グッズ１を、店が用意したまな板４の上で切って分割する。来店促進グッズ１は、二つあるいはそれ以上に分割できるようにあらかじめ分割面５を作っておき、分割面５には相互に面的に着脱できる面ファスナー６を使用して相互に仮固定しており、来店促進グッズ１の再利用を可能とした構成としている。また、さらに来店促進グッズ１の分割面５を外側から封止する封止テープ（図示せず）を外側に備え、外から分割面５を見えないように見栄えを整えた構成としても良い。
【００１２】  来店促進グッズ１としての模擬玉ねぎ１ｔ、模擬じゃがいも１ｊ、模擬人参１ｎ等は、分割可能となっており、模擬包丁３を用いて調理を模した模擬玉ねぎ１ｔを分割すると、割面５には、客が持ち帰りできる来店記念品の個数を示す情報７が表示されている（図４（ｂ）では４個持ち帰ることができる旨表示した構成である）。模擬玉ねぎ１ｔの場合、客が持ち帰りできる来店記念品は本物の玉ねぎ４個であるが、客が持ち帰りできる来店記念品の種類（別の食品を指定し、個数を情報７として表示しても良い。このように客が模擬包丁３を用いて調理をし、割面５にある情報７を見つけると、予め店が用意した来店記念品（本物の玉ねぎ、じゃがいも、人参等）が客に渡される。まな板４は複数用意されているが、これも来店促進グッズ１として配布しても良い。
【００１３】  次に、本考案の別の実施の形態における集客販売促進システムについて図５を用いて説明する。図５（ａ）は来店促進グッズである模擬たまご１ｅの分割前の斜視図、（ｂ）は、同実施の形態における模擬たまごの分割後の斜視図である。来店促進グッズ１によって顧客が持帰る前記来店記念品５の種類が異なることは前述したが、持ち帰りできる個数も分割面５を開いて出た表示（情報７）により異なるようにしてある。本実施の形態では茹でたたまごを模造して模擬たまご１ｅを構成している。模擬たまご１ｅには、分割面５を作っておき、分割面５には相互に面的に着脱できる面ファスナー６を使用して相互に仮固定してある。客は、分割面５を手で分割し、割面５にある情報７（８個持ち帰ることができる）を見つけると、予め店が用意した来店記念品（本物のたまご８個）が客に渡される。
【００１４】  所定の持ち帰り来店記念品は、本実施の形態では、たまごや野菜であるが、他に、キッチン用品、お掃除用品、お菓子、ティッシュ、金の延べ棒を形取ったチョコレート、栗等を店（常設店あるいは特別会場もここでは店とする）が用意しておく。所定の持ち帰り来店記念品としては、他に、あめ、装飾品、化粧品、野菜、みかんなどの果物等を適宜選択し、店で用意する。準備総数は、イベント案内チラシの送付総枚数と店への顧客の来客予想率とから算出される数をもとに準備される。
【００１５】  来店促進グッズを用いたこのようなポスティングやダイレクトメールなどや折り込みチラシを用いた集客販売促進システムでは、顧客は、イベント案内チラシ２来店促進グッズ１を受取り、持参して来客するので、来店促進グッズ１を開け、あるいは加工・調理して分割面から得られる情報により、どのようなものがもらえるのか興味が高まり、顧客の店への来客の案内促進が図れ、店での商品の販売促進が進む。
【産業上の利用可能性】
【００１６】  本考案は、従来の課題であった集客と販売促進の効果的なシステムであり、携帯電話、住宅販売、車、宝石、着物などの高額商品を対象にする場合に効果的に使用可能である。
【符号の説明】
【００１７】１  来店促進グッズ、
２  イベント案内チラシ、
３  模擬包丁、
５  分割面、
６  面ファスナー、
７  情報（客が持ち帰りできる来店記念品の種類または個数を示す情報）。
【図１】
0003224193.tif 000003
【図２】
0003224193.tif 000004
【図３】
0003224193.tif 000005
【図４】
0003224193.tif 000006
【図５】
0003224193.tif 000007